(57)【要約】  基地局装置と通信を行う移動局装置は、基地局装置が送信した電波の受信品質値及び移動局装置の移動速度に従ってセルサーチを開始又は停止するセルサーチ制御信号を出力する制御信号生成部を備える。
2009069631.tif 000002
【特許請求の範囲】
【請求項１】
基地局装置のセルを検索するセルサーチを行って通信を行う前記基地局装置を選択する移動局装置において、
前記移動局装置自身の移動速度を検出する移動速度検出部と、
前記基地局装置が送信した電波を受信するとともに、入力されたセルサーチ制御信号に従ってセルサーチを開始または停止する送受信部と、
前記送受信部が受信した受信電波の品質を示す受信品質値を算出する受信品質値算出部と、
前記セルサーチを制御するための閾値を記憶する閾値記憶部と、
前記移動速度検出部が検出した移動速度に基づき、前記閾値の変更又は前記受信品質値の変更の少なくとも一方を行う変更部と、
少なくとも前記受信品質値と前記変更した閾値とを比較するか、少なくとも前記変更した受信品質値と前記閾値とを比較するか、又は少なくとも前記変更した受信品質値と前記変更した閾値とを比較する受信品質比較部と、
前記受信品質比較部が比較した結果に応じて前記セルサーチ制御信号を前記送受信部へ出力する制御信号生成部と
を備えることを特徴とする移動局装置。
【請求項２】
前記閾値記憶部が記憶する閾値は、前記基地局装置から送信されることを特徴とする請求項１記載の移動局装置。
【請求項３】
前記移動速度と前記閾値の変更量とを対応付けた速度閾値対応情報を記憶する速度閾値対応情報記憶部を備え、
前記変更部は、前記速度閾値対応情報記憶部が記憶する速度閾値対応情報を参照して前記移動速度検出部が検出した移動速度に対応する閾値の変更量を求め、この変更量の分だけ前記閾値を変更することを特徴とする請求項１に記載の移動局装置。
【請求項４】
前記速度閾値対応情報記憶部は、前記移動局装置自身が前記基地局装置から受信した前記速度閾値対応情報を記憶することを特徴とする請求項３に記載の移動局装置。
【請求項５】
前記速度閾値対応情報記憶部は、予め記憶する第１の前記速度閾値対応情報と、前記移動局装置自身装置が前記基地局装置から受信した第２の前記速度閾値対応情報とを記憶し、
前記変更部は、前記第１の速度閾値対応情報と前記第２の速度閾値対応情報から選択した速度閾値対応情報を用いて、前記閾値の変更を行うことを特徴とする請求項３に記載の移動局装置。
【請求項６】
前記変更部は、前記セルサーチの成功率を示す情報に基づいて、前記第１の速度閾値対応情報と前記第２の速度閾値対応情報から選択した速度閾値対応情報を用いて、前記閾値の変更を行うことを特徴とする請求項５に記載の移動局装置。
【請求項７】
前記移動速度と前記受信品質値の変更量とを対応付けた速度受信品質値対応情報を記憶する速度受信品質値対応情報記憶部を備え、
前記変更部は、速度受信品質値対応情報記憶部が記憶する速度受信品質値対応情報を参照して前記移動速度検出部が検出した移動速度に対応する受信品質値の変更量を求め、この変更量の分だけ前記受信品質値を変更することを特徴とする請求項１に記載の移動局装置。
【請求項８】
前記速度受信品質値対応情報記憶部は、前記移動局装置自身が前記基地局装置から受信した前記速度受信品質値対応情報を記憶することを特徴とする請求項７に記載の移動局装置。
【請求項９】
前記速度受信品質値対応情報記憶部は、予め記憶する第１の前記速度受信品質値対応情報と、前記移動局装置自身が前記基地局装置から受信した第２の前記速度受信品質値対応情報とを記憶し、
前記変更部は、前記第１の速度受信品質値対応情報と前記第２の速度受信品質値対応情報から選択した速度受信品質値対応情報を用いて、前記受信品質値が算出した受信品質値の変更を行うことを特徴とする請求項７に記載の移動局装置。
【請求項１０】
前記変更部は、前記セルサーチの成功率を示す情報に基づいて、前記第１の速度受信品質値対応情報と前記第２の速度受信品質値対応情報から選択した速度受信品質値対応情報を用いて、前記受信品質値が算出した受信品質値の変更を行うことを特徴とする請求項９に記載の移動局装置。
【請求項１１】
前記変更部は、前記移動速度検出部が検出した移動速度が速くなると、前記初期閾値を高い値に変更することを特徴とする請求項１記載の移動局装置。
【請求項１２】
前記変更部は、前記移動速度検出部が検出した移動速度が速くなると、前記受信品質値を低い値に変更することを特徴とする請求項１記載の移動局装置。
【請求項１３】
前記変更部は、前記移動速度検出部が検出した移動速度が予め定めた速度を超えた場合に、前記閾値の変更又は前記受信品質値の変更の少なくとも一方を行うことを特徴とする請求項１に記載の移動局装置。
【請求項１４】
基地局装置と、前記基地局装置のセルを検索するセルサーチを行って通信を行う前記基地局装置を選択する移動局装置と、を具備する無線通信システムにおいて、
前記移動局装置は、
前記移動局装置自身の移動速度を検出する移動速度検出部と、
前記基地局装置が送信した電波とセルサーチ制御信号を受信するとともに、受信電波の品質を示す受信品質値と、前記移動速度検出部が検出した移動速度とを基地局装置へ送信し、入力されたセルサーチ制御信号に従ってセルサーチを開始または停止する送受信部と、
前記送受信部が受信した電波に対して前記受信品質値を算出する受信品質値算出部と、
前記受信品質値算出部が算出した受信品質値と前記移動速度検出部が検出した移動速度を送受信部に出力する移動局情報送信部と
を備え、
前記基地局装置は、
前記移動局装置から前記移動速度と前記受信品質値を受信するとともに、移動局装置へ前記セルサーチ制御信号を送信する送受信部と、
セルサーチを制御するための閾値を記憶する閾値記憶部と、
前記移動速度検出部が検出した移動速度に基づき、前記閾値の変更又は前記受信品質値の変更の少なくとも一方を行う変更部と、
少なくとも前記受信品質値と前記変更した閾値とを比較するか、少なくとも前記変更した受信品質値と前記閾値とを比較するか、又は少なくとも前記変更した受信品質値と前記変更した閾値とを比較する受信品質比較部と、
前記受信品質比較部が比較した結果に応じて前記セルサーチ制御信号を前記送受信部へ出力する制御部と、
を備えることを特徴とする無線通信システム。
【請求項１５】
基地局装置のセルを検索するセルサーチを行って通信を行う前記基地局装置を選択する移動局装置における移動局装置制御方法おいて、
前記移動局装置自身の移動速度を検出する第1の過程と、
前記基地局装置が送信した電波を受信する第２の過程と、
前記第２の過程にて受信した受信電波の品質を示す受信品質値を算出する第３の過程と、
前記第１の過程にて検出した移動速度に基づき、前記閾値の変更又は前記受信品質値の変更の少なくとも一方を行う第４の過程と、
少なくとも前記受信品質値と前記変更した閾値とを比較するか、少なくとも前記変更した受信品質値と前記閾値とを比較するか、又は少なくとも前記変更した受信品質値と前記変更した閾値とを比較する第５の過程と、
前記第５の過程にて比較した結果に応じてセルサーチを開始または停止する第６の過程と、
を有することを特徴とする移動局装置制御方法。
【請求項１６】
基地局装置のセルを検索するセルサーチを行って通信を行う前記基地局装置を選択する移動局装置のコンピュータに、
前記移動局装置自身の移動速度を検出する移動速度検出手段、
前記基地局装置が送信した電波を受信する受信手段、
前記受信手段にて受信した受信電波の品質を示す受信品質値を算出する受信品質値算出手段、
前記移動速度検出手段が検出した移動速度に基づき、前記閾値の変更又は前記受信品質値の変更の少なくとも一方を行う変更手段、
少なくとも前記受信品質値と前記変更した閾値とを比較するか、少なくとも前記変更した受信品質値と前記閾値とを比較するか、又は少なくとも前記変更した受信品質値と前記変更した閾値とを比較する受信品質比較手段、
前記受信品質比較手段にて比較した結果に応じてセルサーチを開始または停止する制御信号生成手段、
を実行させるための移動局装置制御プログラム。
【発明の詳細な説明】
【技術分野】
【０００１】
本発明は、移動局装置、無線通信システム、移動局装置制御方法、移動局装置制御プログラムに関する。
本願は、２００７年１１月２７日に、日本に出願された特願２００７−３０５８５７号に基づき優先権を主張し、その内容をここに援用する。
【背景技術】
【０００２】
移動体通信において、移動局装置は、移動に伴い適切な基地局装置と通信をするために、セルの検索（以下、セルサーチという）を実施し、その結果に従って基地局装置の変更を行っている。ここで、セルサーチに関する技術として、特許文献１には、移動速度に応じセルサーチする時間間隔を変更する携帯端末が記載されている。
【特許文献１】特開２００６−２４６１２１号公報
【発明の開示】
【発明が解決しようとする課題】
【０００３】
しかし、移動局装置の移動速度が速い場合、セルサーチの時間間隔を狭めても、セルサーチの開始が遅いことがある。セルサーチの開始が遅いと、基地局装置の変更処理に時間が確保できず、基地局装置の変更が完了する前に受信品質が落ちてしまい、移動局装置では、通信の切断や通信不能の状態が生ずるという問題がある。
例えば、携帯電話が通信先を異なる周波数で通信をする基地局装置へ変更する場合、携帯電話の移動速度とセルサーチのタイミングによっては、受信周波数の変更処理が間に合わず「通信圏外」となってしまう。【０００４】
本発明は上記の点に鑑みてなされたものであり、その目的は、移動局装置の移動速度が速い場合であっても通信不能状態を回避することができ、移動局装置の接続品質を確保できる移動局装置、無線通信システム、移動局装置制御方法、移動局装置制御プログラムを提供することにある。
【課題を解決するための手段】
【０００５】
（１）本発明は上記の課題を解決するためになされたものであり、本発明は、基地局装置のセルを検索するセルサーチを行って通信を行う前記基地局装置を選択する移動局装置において、前記移動局装置自身の移動速度を検出する移動速度検出部と、前記基地局装置が送信した電波を受信するとともに、入力されたセルサーチ制御信号に従ってセルサーチを開始または停止する送受信部と、前記送受信部が受信した受信電波の品質を示す受信品質値を算出する受信品質値算出部と、前記セルサーチを制御するための閾値を記憶する閾値記憶部と、前記移動速度検出部が検出した移動速度に基づき、前記閾値の変更又は前記受信品質値の変更の少なくとも一方を行う変更部と、少なくとも前記受信品質値と前記変更した閾値とを比較するか、少なくとも前記変更した受信品質値と前記閾値とを比較するか、又は少なくとも前記変更した受信品質値と前記変更した閾値とを比較する受信品質比較部と、前記受信品質比較部が比較した結果に応じて前記セルサーチ制御信号を前記送受信部へ出力する制御信号生成部とを備えることを特徴とする移動局装置である。
本発明では、移動局装置自身の移動速度に基づき、少なくとも前記受信品質値と前記変更した閾値とを比較するか、少なくとも前記変更した受信品質値と前記閾値とを比較するか、又は少なくとも前記変更した受信品質値と前記変更した閾値とを比較することにより、セルサーチの実行を効果的に制御した。このように、例えば、移動局装置は、速い速度で移動している場合、受信品質値が低くならない早い段階でセルサーチを開始することができる。
これにより、移動局装置は、セルサーチの開始を適切に制御できるので、基地局装置の切替え処理に十分な時間を確保でき、通信の切断や通信不能の状態の発生を低減できる。
さらに、受信品質値が高い場合や基地局装置に向かって移動する場合は、セルサーチの回数を減少することができる。この場合、移動局装置の消費電力を減らし、バッテリの消耗を低減できる。【０００６】
（２）また、本発明は、上記の移動局装置において、前記閾値記憶部が記憶する閾値は、前記基地局装置から送信されることを特徴とする。【０００７】
（３）また、本発明は、上記の移動局装置において、前記移動速度と前記閾値の変更量とを対応付けた速度閾値対応情報を記憶する速度閾値対応情報記憶部を備え、前記変更部は、前記速度閾値対応情報記憶部が記憶する速度閾値対応情報を参照して前記移動速度検出部が検出した移動速度に対応する閾値の変更量を求め、この変更量の分だけ前記閾値を変更することを特徴とする。【０００８】
（４）また、本発明は、上記の移動局装置において、前記速度閾値対応情報記憶部は、前記移動局装置自身が前記基地局装置から受信した前記速度閾値対応情報を記憶することを特徴とする。【０００９】
（５）また、本発明は、上記の移動局装置において、前記速度閾値対応情報記憶部は、予め記憶する第１の前記速度閾値対応情報と、前記移動局装置自身装置が前記基地局装置から受信した第２の前記速度閾値対応情報とを記憶し、前記変更部は、前記第１の速度閾値対応情報と前記第２の速度閾値対応情報から選択した速度閾値対応情報を用いて、前記閾値の変更を行うことを特徴とする。【００１０】
（６）また、本発明は、上記の移動局装置において、前記変更部は、前記セルサーチの成功率を示す情報に基づいて、前記第１の速度閾値対応情報と前記第２の速度閾値対応情報から選択した速度閾値対応情報を用いて、前記閾値の変更を行うことを特徴とする。【００１１】
（７）また、本発明は、上記の移動局装置において、前記移動速度と前記受信品質値の変更量とを対応付けた速度受信品質値対応情報を記憶する速度受信品質値対応情報記憶部を備え、前記変更部は、速度受信品質値対応情報記憶部が記憶する速度受信品質値対応情報を参照して前記移動速度検出部が検出した移動速度に対応する受信品質値の変更量を求め、この変更量の分だけ前記受信品質値を変更することを特徴とする。【００１２】
（８）また、本発明は、上記の移動局装置において、前記速度受信品質値対応情報記憶部は、前記移動局装置自身が前記基地局装置から受信した前記速度受信品質値対応情報を記憶することを特徴とする。【００１３】
（９）また、本発明は、上記の移動局装置において、前記速度受信品質値対応情報記憶部は、予め記憶する第１の前記速度受信品質値対応情報と、前記移動局装置自身が前記基地局装置から受信した第２の前記速度受信品質値対応情報とを記憶し、前記変更部は、前記第１の速度受信品質値対応情報と前記第２の速度受信品質値対応情報から選択した速度受信品質値対応情報を用いて、前記受信品質値が算出した受信品質値の変更を行うことを特徴とする。【００１４】
（１０）また、本発明は、上記の移動局装置において、前記変更部は、前記セルサーチの成功率を示す情報に基づいて、前記第１の速度受信品質値対応情報と前記第２の速度受信品質値対応情報から選択した速度受信品質値対応情報を用いて、前記受信品質値が算出した受信品質値の変更を行うことを特徴とする。【００１５】
（１１）また、本発明は、上記の移動局装置において、前記変更部は、前記移動速度検出部が検出した移動速度が速くなると、前記初期閾値を高い値に変更することを特徴とする。【００１６】
（１２）また、本発明は、上記の移動局装置において、前記変更部は、前記移動速度検出部が検出した移動速度が速くなると、前記受信品質値を低い値に変更することを特徴とする。【００１７】
（１３）また、本発明は、上記の移動局装置において、前記変更部は、前記移動速度検出部が検出した移動速度が予め定めた速度を超えた場合に、前記閾値の変更又は前記受信品質値の変更の少なくとも一方を行うことを特徴とする。【００１８】
（１４）また、本発明は、基地局装置と、前記基地局装置のセルを検索するセルサーチを行って通信を行う前記基地局装置を選択する移動局装置と、を具備する無線通信システムにおいて、前記移動局装置は、前記移動局装置自身の移動速度を検出する移動速度検出部と、前記基地局装置が送信した電波とセルサーチ制御信号を受信するとともに、受信電波の品質を示す受信品質値と、前記移動速度検出部が検出した移動速度とを基地局装置へ送信し、入力されたセルサーチ制御信号に従ってセルサーチを開始または停止する送受信部と、前記送受信部が受信した電波に対して前記受信品質値を算出する受信品質値算出部と、前記受信品質値算出部が算出した受信品質値と前記移動速度検出部が検出した移動速度を送受信部に出力する移動局情報送信部とを備え、前記基地局装置は、前記移動局装置から前記移動速度と前記受信品質値を受信するとともに、移動局装置へ前記セルサーチ制御信号を送信する送受信部と、セルサーチを制御するための閾値を記憶する閾値記憶部と、前記移動速度検出部が検出した移動速度に基づき、前記閾値の変更又は前記受信品質値の変更の少なくとも一方を行う変更部と、少なくとも前記受信品質値と前記変更した閾値とを比較するか、少なくとも前記変更した受信品質値と前記閾値とを比較するか、又は少なくとも前記変更した受信品質値と前記変更した閾値とを比較する受信品質比較部と、前記受信品質比較部が比較した結果に応じて前記セルサーチ制御信号を前記送受信部へ出力する制御部と、を備えることを特徴とする無線通信システムである。【００１９】
（１５）また、本発明は、基地局装置のセルを検索するセルサーチを行って通信を行う前記基地局装置を選択する移動局装置における移動局装置制御方法おいて、前記移動局装置自身の移動速度を検出する第1の過程と、前記基地局装置が送信した電波を受信する第２の過程と、前記第２の過程にて受信した受信電波の品質を示す受信品質値を算出する第３の過程と、前記第１の過程にて検出した移動速度に基づき、前記閾値の変更又は前記受信品質値の変更の少なくとも一方を行う第４の過程と、少なくとも前記受信品質値と前記変更した閾値とを比較するか、少なくとも前記変更した受信品質値と前記閾値とを比較するか、又は少なくとも前記変更した受信品質値と前記変更した閾値とを比較する第５の過程と、前記第５の過程にて比較した結果に応じてセルサーチを開始または停止する第６の過程と、を有することを特徴とする移動局装置制御方法である。【００２０】
（１６）また、本発明は、基地局装置のセルを検索するセルサーチを行って通信を行う前記基地局装置を選択する移動局装置のコンピュータに、前記移動局装置自身の移動速度を検出する移動速度検出手段、前記基地局装置が送信した電波を受信する受信手段、前記受信手段にて受信した受信電波の品質を示す受信品質値を算出する受信品質値算出手段、前記移動速度検出手段が検出した移動速度に基づき、前記閾値の変更又は前記受信品質値の変更の少なくとも一方を行う変更手段、少なくとも前記受信品質値と前記変更した閾値とを比較するか、少なくとも前記変更した受信品質値と前記閾値とを比較するか、又は少なくとも前記変更した受信品質値と前記変更した閾値とを比較する受信品質比較手段、前記受信品質比較手段にて比較した結果に応じてセルサーチを開始または停止する制御信号生成手段、を実行させるための移動局装置制御プログラムである。
【発明の効果】
【００２１】
本発明によれば、移動局装置は、その移動速度と受信電波の品質を比較することにより、移動中のセルサーチを効果的に制御できる。したがって、移動局装置において接続品質を確保できるとともに、バッテリの消耗を低減することができる。
【図面の簡単な説明】
【００２２】
【図１】本発明の第１の実施形態に係る移動局装置のブロック図である。
【図２】本発明の第１の実施形態に係る携帯電話の移動速度とセルサーチ用閾値の変更量を示す図である。
【図３】本発明の第１の実施形態に係るフロー図である。
【図４】本発明の第１の実施形態に係る基地局装置と携帯電話の位置関係、及び、携帯電話の移動速度ごとの閾値等価地点を示す図である。
【図５】本発明の第２の実施形態に係る移動局装置のブロック図である。
【図６】本発明の第２の実施形態に係る携帯電話の移動速度と受信品質値の変更量を示す図である。
【図７】本発明の第２の実施形態に係るフロー図である。
【図８】本発明の第３の実施形態に係る移動局装置と基地局装置のブロック図である。
【図９】本発明の第３の実施形態に係るフロー図である。
【符号の説明】
【００２３】
１００・・・携帯電話装置（移動局装置）
２００・・・基地局装置
１０１・・・送受信アンテナ
１０２・・・送受信回路
１０３・・・移動速度検出回路
１０５・・・制御回路
１０６・・・周辺回路
１０５４・・・受信品質値算出部
１０５３・・・記憶部
１０５２・・・閾値変更部（変更部）
１０５１、１０７１・・・受信品質比較部
１０５５・・・制御信号生成部
１５３１・・・閾値記憶部
１５３２・・・速度閾値対応情報記憶部
１５３３・・・受信品質値対応情報記憶部
１０７１・・・受信品質変更部（変更部）
１０５７・・・移動局情報送信部
２０１・・・送受信アンテナ
２０２・・・送受信回路
２０５・・・制御回路
２０５１・・・受信品質比較部
２０５２・・・閾値変更部
２０５３・・・記憶部
２５３１・・・閾値記憶部
２５３２・・・速度閾値対応情報記憶部
【発明を実施するための最良の形態】
【００２４】
（第１の実施形態）
以下、図面を参照しながら本発明の実施形態について詳しく説明する。図１は、本発明の移動局装置を示す概略的ブロック図である。図１において、本発明による携帯電話１００は、送受信アンテナ１０１、送受信回路１０２、移動速度検出回路１０３、制御回路１０５および周辺回路１０６から構成される。【００２５】
送受信アンテナ１０１は、携帯電話１００が用いる周波数帯域において、所定の利得で基地局装置からの電波を受信し、また、基地局装置へ電波を送信する。【００２６】
送受信回路１０２は、送受信アンテナ１０１を介して、基地局装置から送信された電波を電気信号として受信し、その受信信号を所定の電力値まで増幅する。そして、送受信回路１０２は、増幅した受信信号をベースバンド信号に変換し、変換したベースバンド信号を制御回路１０５に出力する。
また、送受信回路１０２は、制御回路１０５から入力したベースバンド信号を無線周波数帯の送信信号に変換する。そして、送受信回路１０２は、送信信号を所定の電力値まで増幅し、送受信アンテナ１０１を介して電波として基地局装置へ送信する。さらに、送受信回路１０２は、制御回路１０５から入力されるセルサーチ制御信号に従い、セルサーチを開始または停止する。【００２７】
移動速度検出回路１０３は、携帯電話１００自身の移動速度を検出する。例えば、受信信号の最大ドップラー周波数を推定し、その推定された最大ドップラー周波数から移動速度を検出し、または、ＧＰＳ（全地球測位システム）機能を有する携帯電話であれば、ＧＰＳで携帯電話の位置を測定しその単位時間当たりの位置のずれにより、移動速度を検出する。そして、移動速度検出回路１０３は、制御回路１０５に検出した携帯電話自身の移動速度情報を出力する。【００２８】
制御回路１０５は、送受信回路１０２及び移動速度検出回路１０３から入力された情報に基づき、セルサーチを制御する。制御回路１０５は、受信品質比較部１０５１と閾値変更部１０５２と記憶部１０５３と受信品質値算出部１０５４と制御信号生成部１０５５を含んでいる。【００２９】
受信品質値算出部１０５４は、送受信回路１０２から入力されたベースバンド信号から受信電波の品質を示す受信品質値を算出し、受信品質比較部１０５１へ出力する。受信品質値として、例えば、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ)通信システムでは、ＣＰＩＣＨ（Ｃｏｍｍｏｎ  Ｐｉｌｏｔ  Ｃｈａｎｎｅｌ）のＲＳＣＰ（Ｒｅｃｅｉｖｅｄ  Ｓｉｇｎａｌ  Ｃｏｄｅ  Ｐｏｗｅｒ、希望波受信電力）、Ｐａｔｈ  Ｌｏｓｓ（経路減衰）、Ｅｃ／Ｉｏ（信号強度対全受信信号強度）がある。【００３０】
閾値変更部１０５２は、移動速度検出回路１０３から入力された携帯電話１００の移動速度に基づいてセルサーチを開始する受信品質値の閾値（以下、セルサーチ用閾値という）を計算し、セルサーチ用閾値を受信品質比較部１０５１に出力する。
記憶部１０５３は、閾値記憶部１５３１と速度閾値対応情報記憶部１５３２とを含んでいる。速度閾値対応情報記憶部１５３２は、移動速度とセルサーチ用閾値の変更量との対応情報（以下、速度閾値対応情報という）を記憶する。閾値記憶部１５３１は、予め基地局装置から送信された基準となる閾値（以下、初期閾値という）を記憶する。
閾値変更部１０５２は、速度閾値対応情報記憶部１５３２から取得した速度閾値対応情報を参照して、移動速度検出回路１０３から入力された携帯電話１００の移動速度に対応するセルサーチ用閾値の変更量を求める。そして、閾値変更部１０５２は、求めた変更量の分だけ、閾値記憶部１５３１から取得した初期閾値を変更し、その結果をセルサーチ用閾値として設定する。【００３１】
以下、図２を参照しながら、セルサーチ用閾値の具体的な計算方法を説明する。図２は、携帯電話１００の速度閾値対応情報を示す説明図である。図２には、所定の速度に応じてセルサーチ用閾値の加算量が対応付けられている。ここで、０＜ａ＜ｂ＜ｃ…であり，０＜ｘ＜ｙ＜…であるとする。なお、図２の携帯電話１００の速度閾値対応情報は，事前のシミュレーションまたはフィールドテストにより予め求められたものである。
この図２に従い、閾値変更部１０５２は、セルサーチ用閾値の計算をする。例えば、携帯電話１００がａｋｍ／ｈ未満の速度で移動中の場合、セルサーチ用閾値の加算量は０ｄＢであるから、セルサーチ用閾値は加算されず、初期閾値と同じ値である。次に、携帯電話１００が、ａｋｍ／ｈ以上ｂｋｍ／ｈ未満の速度で移動中の場合、セルサーチ用閾値の加算量はｘｄＢである。したがって、セルサーチ用閾値はｘｄＢ加算され、初期閾値よりｘｄＢ高い値である。また、ｂｋｍ／ｈ以上ｃｋｍ／ｈ未満の速度で移動中の場合、セルサーチ用閾値の加算量はｙｄＢである。なお、受信品質値の種類によって、セルサーチ用閾値の加算量は、ｘｄＢｍ（１ｍＷが基準の電力）、ｙｄＢｍとなる。【００３２】
受信品質比較部１０５１は、閾値変更部１０５２から入力されたセルサーチ用閾値と、受信品質値算出部１０５４から入力された受信品質値を比較し、その比較結果を制御信号生成部１０５５へ出力する。【００３３】
制御信号生成部１０５５は、受信品質比較部１０５１から入力された比較結果に従いセルサーチ制御信号を送受信部１０２へ出力する。具体的には、制御信号生成部１０５５は、受信品質値とセルサーチ用閾値の比較の結果、受信品質値がセルサーチ用閾値を下回っていれば、セルサーチ開始のためのセルサーチ制御信号を送受信部１０２へ出力する。逆に、制御信号生成部１０５５は、受信品質がセルサーチ用閾値を上回るとセルサーチ停止のためのセルサーチ制御信号を送受信部１０２へ出力する。
送受信部１０２は、セルサーチ開始のためのセルサーチ制御信号が入力されると、セルサーチを開始し、ある所定の時間間隔で周期的にセルサーチを開始する。また、送受信部１０２は、セルサーチ停止のためのセルサーチ制御信号が入力させると、セルサーチを停止し、そのまま停止状態を保つ。【００３４】
その他、周辺回路１０６と制御回路１０５と送受信回路１０２は、携帯電話の一般的な機能を備える。
周辺回路１０６は、表示部やスピーカ等を制御する各種回路である。例えば、周辺回路１０６は、制御回路１０５から入力された音声信号を復調及び復号化し、受話部のスピーカに音声を出力させ、また、送話部マイクから入力された音声を符号化及び変調し、音声信号として制御回路１０５に出力する。さらに、周辺回路１０６は、制御回路１０５からの指示に従って、表示部に各種情報を表示させる。なお、図１では周辺回路１０６を１つ示しているが、複数の周辺回路を含んでいてもよい。そして、制御回路１０５は、入力された信号を処理し、周辺回路１０６及び送受信回路１０２に出力する。例えば、制御回路１０５は、送受信回路１０２から入力したベースバンド信号を音声信号に変換し、周辺回路１０６に出力し、また、周辺回路１０６から入力された音声信号をベースバンド信号に変換し、送受信回路１０２に出力する。【００３５】
次に、本実施形態の携帯電話１００の動作について説明する。図３は、本実施形態の動作についてのフロー図である。ここで、記憶部１０５３の閾値記憶部１５３１は、送受信アンテナ１０１と送受信回路１０２を介し予め初期閾値を取得し、初期閾値を記憶する（Ｓ１０１）。
まず、移動速度検出回路１０３は、携帯電話自身の移動速度を検出（Ｓ１０２）し、閾値変更部１０５２に出力する。閾値変更部１０５２は、速度閾値対応情報記憶部１５３２から取得した速度閾値対応情報を参照して、移動速度検出回路１０３から入力された携帯電話１００の移動速度に対応するセルサーチ用閾値の変更量を求める。そして、閾値変更部１０５２は、求めた変更量の分だけ、閾値記憶部１５３１から取得した初期閾値を変更し、その結果をセルサーチ用閾値とし、その結果であるセルサーチ用閾値を受信品質比較部１０５１へ出力する（Ｓ１０３）。
一方、送受信回路１０２は、基地局装置から電波を受信して電気信号に変換（Ｓ１０４）し、受信品質値算出部１０５４へ出力する。そして、受信品質値算出部１０５４は、送受信回路１０２から入力された信号から受信品質値を算出し（Ｓ１０５）、受信品質比較部１０５１に出力する。
受信品質比較部１０５１は、閾値変更部１０５２から入力されたセルサーチ用閾値と、受信品質値算出部１０５４から入力された受信品質値を比較し（Ｓ１０６）、閾値以上であるか否かを判断する（Ｓ１０７）。受信品質値がセルサーチ用閾値を下回った場合、制御回路１０５は、セルサーチ開始のためのセルサーチ制御信号を送受信回路１０２へ出力し、送受信回路１０２は、セルサーチを開始する（Ｓ１０８）。逆に、受信品質値が閾値以上であれば、セルサーチ停止のためのセルサーチ制御信号を送受信回路１０２へ出力し、送受信回路１０２は、セルサーチを停止する（Ｓ１１０）。
以上の動作は、所定の周期で繰り返されている（Ｓ１１１）。【００３６】
次に、図４を参照しながら、携帯電話１００の受信品質と移動速度とセルサーチの有無の関係を説明する。図４は基地局装置２００と携帯電話１００の位置関係を示す説明図である。ここで、基地局装置２００は、全方向に均等に通信電波を発信する。地点Ａは、基地局装置２００から距離が離れるに従い通信電波が減衰するので、通信可能な限界地点となる。点Ｐは、携帯電話１００の位置を示し、点Ｐからのびる矢印は、携帯電話１００の移動方向を示す。図４では、携帯電話１００は、基地局装置２００から離れる方向に移動している。【００３７】
まず、携帯電話１００の移動速度ごとに、受信品質値とセルサーチ用閾値が等しくなる地点（以下、閾値等価地点という）を示す。
携帯電話１００が低速、例えば、ａｋｍ／ｈ未満、で移動している場合、閾値等価地点を地点Ｂとする。これに対し、携帯電話１００が高速、例えば、ａｋｍ／ｈ以上ｂｋｍ／ｈ未満、で移動している場合には、ａｋｍ／ｈ未満の場合に比べ、セルサーチ用閾値はｘｄＢ加算され、高い値になっている。セルサーチ用閾値がａｋｍ／ｈ未満の場合に比べ高い値なので、地点Ｂより受信品質値が高い地点、つまり、基地局装置２００からの通信電波の減衰が少ない、より基地局装置２００に近い地点Ｃが閾値等価地点となる。さらに、携帯電話１００の移動速度が速くなり、ｂｋｍ／ｈ以上ｃｋｍ／ｈ未満となると、セルサーチ用閾値の加算量が増えるので、閾値等価地点は、同様に、地点Ｃよりさらに基地局装置２００に近い地点となる。
よって、携帯電話１００の移動速度が速いほど、閾値等価地点は基地局装置２００に近い地点となる。【００３８】
次に、閾値等価地点とセルサーチの有無の関係を説明する。
基地局装置２００を基準として閾値等価地点より遠い地点では、受信品質値は通信電波の減衰によりセルサーチ用閾値より低いので、携帯電話１００はセルサーチを開始する。逆に、基地局装置２００を基準として閾値等価地点より近い地点では、受信品質値はセルサーチ用閾値より高いので、携帯電話１００はセルサーチを停止している。
よって、携帯電話１００がセルサーチを開始する領域は、基地局装置２００を中心とした閾値等価地点の集合である円より外側の領域であり、携帯電話１００がセルサーチを停止する領域は、基地局装置２００を中心とした閾値等価地点の集合である円より内側の領域である。【００３９】
したがって、携帯電話１００の受信品質と移動速度とセルサーチの有無の関係は、以下のようになる。
携帯電話１００は、基地局装置２００から離れる際には、その移動速度が速くなるほど、受信品質値の高い基地局装置２００に近い地点でセルサーチを開始する。
また、携帯電話１００は、受信品質値が高い地点においては、受信品質値が低い地点に比べ、移動速度が速くてもセルサーチを停止している。【００４０】
これに対し、仮に、携帯電話１００の移動速度に依存せずセルサーチを開始することとした場合、携帯電話が高速で移動しているにも関わらず、セルサーチは開始されない。特に、基地局装置２００から離れる際に、通信限界地点である地点Ａの境界付近において高速で移動をしている場合、携帯電話１００は、セルサーチで検索した新しい基地局装置への切替え処理が間に合わず、地点Ａを越えても新しい基地局装置と通信ができないことから、「通信圏外」となってしまう。
ここで、携帯電話１００が「通信圏外」とならないためには、基地局装置の切替え処理の時間を確保することが必要で、移動速度が速くなるほど、受信品質値の高い基地局装置２００に近い地点でセルサーチを開始する必要がある。本実施形態においては、携帯電話１００の移動速度が速くなるほど、電波の強い基地局装置２００に近い地点でセルサーチを開始する。これにより、セルサーチの処理時間を充分に持つことができ、「通信圏外」となることを低減できる。【００４１】
また、仮に、携帯電話１００の移動速度に依存するが、受信品質値に依存せずセルサーチを開始することとした場合、携帯電話１００は、受信品質値が高い場所でも所定の速度に達すれば、セルサーチを開始し、電力を消費してしまう。本実施形態においては、携帯電話１００は、受信品質が高い地点においては、受信品質が低い地点に比べ、移動速度が速くてもセルサーチを停止している。セルサーチを停止すれば、携帯電話１００は、セルサーチに要する無駄な消費電力を減らし、バッテリの消耗を低減することができる。【００４２】
（第２の実施形態）
次に、図面を参照しながら本発明の第２の実施形態について詳しく説明する。図５は、本発明の第２の実施形態による移動局装置である携帯電話１００を示す概略的ブロック図である。図５において、本発明による携帯電話１００は、送受信アンテナ１０１、送受信回路１０２、移動速度検出回路１０３、制御回路１０５および周辺回路１０６から構成される。【００４３】
上記第１の実施形態では受信品質値を判定する閾値を携帯電話１００の速度に応じて変更する例を示しているが、第２の実施形態は、受信品質値を変更するような構成である。つまり、第１の実施形態が閾値を変更し、受信品質値と比較をするのに対し、第２の実施形態では受信品質変更部１０７６により、受信品質値を見かけ上変更し、これを固定の閾値である初期閾値と比較をする。
本実施形態と第１の実施形態を比較すると制御回路１０５内の受信品質比較部１０７１と受信品質値算出部１０７４と受信品質変更部１０７６とが異なるだけで、他の構成要素が持つ機能は第１の実施形態と同じであるので、第１の実施形態と同じ機能の説明は省略する。【００４４】
受信品質値算出部１０７４は、送受信回路１０２から入力されたベースバンド信号から受信品質値を算出し、受信品質変更部１０７６へ出力する。
受信品質変更部１０７６は、移動速度検出回路１０３から入力された携帯電話１００の移動速度に基づいて受信品質値算出部１０７４が算出した受信品質値を変更し、変更した受信品質値を受信品質比較部１０７１に出力する。受信品質変更部１０７６は、記憶部１０５３の速度受信品質値対応情報記憶部１５３３から取得した速度受信品質値対応情報を参照して、移動速度検出回路１０３から入力された携帯電話１００の移動速度に対応する受信品質値の変更量を求める。そして、受信品質変更部１０７６は、求めた変更量の分だけ、受信品質値算出部１０７４から入力された受信品質値を変更し、その結果を受信品質値とする。【００４５】
以下、図６を参照しながら、具体的な計算方法を説明する。図６は、携帯電話の移動速度に応じてセルサーチを開始する受信品質のレベルを変更する機能を示す説明図である。図６には、所定の速度に応じて受信品質値の減算量が対応付けられている。ここで、０＜ａ’＜ｂ’＜ｃ’…であり，０＜ｘ’＜ｙ’＜…であるとする。
この図６に従い、受信品質値算出部１０７４は、受信品質値の計算をする。例えば、携帯電話がａ’ｋｍ／ｈ未満の速度で移動中の場合、受信品質値の減算量は０ｄＢであるから、受信品質値は加算されず、受信品質値算出部１０７４より入力された受信品質値と同じ値である。次に、ａ’ｋｍ／ｈ以上ｂ’ｋｍ／ｈ未満で移動中の場合は、受信品質値の減算量はｘ’ｄＢである。したがって、受信品質値は，受信品質値算出部１０７４より入力された受信品質値よりｘ’ｄＢ低い値である。また、ｂ’ｋｍ／ｈ以上ｃ’ｋｍ／ｈ未満の速度で移動中の場合、セルサーチ用受信品質値の減算量はｙ’ｄＢである。なお、受信品質値の種類によって、セルサーチ用受信品質値の減算量は、ｘ’、ｙ’ｄＢｍとなる。【００４６】
受信品質比較部１０７１は、記憶部１０５３の閾値記憶部１５３１から取得したセルサーチ用閾値（初期閾値）と、受信品質変更部１０７６から入力された受信品質値を比較し、その比較結果を制御信号生成部１０５５へ出力する。
制御信号生成部１０５５は、受信品質比較部１０７１から入力された比較結果に従いセルサーチ制御信号を送受信部１０２へ出力する。具体的には、制御信号生成部１０５５は、受信品質値とセルサーチ用閾値の比較の結果、受信品質値がセルサーチ用閾値を下回っていれば、セルサーチ開始のためのセルサーチ制御信号を送受信部１０２へ出力する。逆に、制御信号生成部１０５５は、受信品質がセルサーチ用閾値を上回るとセルサーチ停止のためのセルサーチ制御信号を送受信部１０２へ出力する。
これにより、第１の実施形態と同様の効果を得ることが可能である。【００４７】
次に、本実施形態の携帯電話１００の動作について説明する。図７は、本実施形態の動作についてのフロー図である。【００４８】
まず、送受信回路１０２は、基地局装置から電波を受信して信号に変換し（Ｓ２０１）、受信品質値算出部１０７４へ出力する。そして、受信品質値算出部１０７４は、送受信回路１０２から入力された信号から受信品質値を算出し（Ｓ２０２）、受信品質変更部１０７６に出力する。
一方、移動速度検出回路１０３は、携帯電話自身の移動速度を算出し（Ｓ２０３）、受信品質変更部１０７６に出力する。そして、受信品質変更部１０７６は、移動速度検出回路１０３から入力された移動速度と受信品質値算出部１０７４から入力された受信品質値より、受信品質値を変更する。そして、受信品質変更部１０７６は、変更した受信品質値を受信品質比較部１０７１へ出力する（Ｓ２０４）。
受信品質比較部１０７１は、閾値記憶部１５３１から取得したセルサーチ用閾値（初期閾値）と、受信品質変更部１０７６から入力された受信品質値を比較し（Ｓ２０６）、閾値以上であるか否かを判断する（Ｓ２０７）。受信品質値がセルサーチ用閾値を下回った場合、制御回路１０５は、セルサーチを開始するセルサーチ制御信号を送受信回路１０２へ出力し、送受信回路１０２は、セルサーチを開始する（Ｓ２０８）。
逆に、受信品質値が閾値以上であれば、セルサーチ停止のためのセルサーチ制御信号を送受信回路１０２へ出力し、送受信回路１０２は、セルサーチを停止する（Ｓ２１０）。
そして、以上の動作は、所定の周期で繰り返されている（Ｓ２１１）。【００４９】
本実施形態においては、初期閾値を変更しなくても、本発明を実施できる。【００５０】
（第３の実施形態）
次に、図面を参照しながら本発明の第３の実施形態について詳しく説明する。図８は、本発明の第３の実施形態による移動局装置である携帯電話１００と基地局装置２００からなる無線通信システムを示す概略的ブロック図である。図８において、携帯電話１００は、送受信アンテナ１０１、送受信回路１０２、移動速度検出回路１０３、制御回路１０５および周辺回路１０６から構成される。そして、基地局装置２００は、送受信アンテナ２０１、送受信回路２０２および制御回路２０５から構成される。【００５１】
本実施形態は、第１の実施形態で移動局装置に備えられていた閾値変更部と受信品質比較部と記憶部の機能を、基地局装置に備えさせたものである。【００５２】
送受信アンテナ１０１、送受信回路１０２及び移動速度検出回路１０３は、第１の実施形態と同じである。【００５３】
制御回路１０５は、受信品質値算出部１０５４と移動局情報送信部１０５７を含んでいる。【００５４】
受信品質値算出部１０５４は、送受信回路１０２から入力されたベースバンド信号から受信品質値を算出し、移動局情報送信部１０５７へ出力する。移動局情報送信部１０５７は、受信品質値算出部１０５から入力された受信品質値及び移動速度検出回路１０３から入力された移動速度を、移動局受信品質値信号及び移動局移動速度信号とし、送受信回路１０２へ出力する。【００５５】
送受信回路１０２は、制御回路１０５から入力された移動局移動速度信号と移動局受信品質値信号を、送受信アンテナ１０１を介し、基地局装置２００へ送信する。【００５６】
送受信アンテナ２０１は、所定の周波数帯域において、所定の利得で携帯電話１００からの電波を受信し、また、携帯電話１００へ電波を送信する。【００５７】
送受信回路２０２は、送受信アンテナ２０１を介し、携帯電話１００から送信された電波を電気信号として受信し、その受信信号を所定の電力値まで増幅する。そして、送受信回路２０２は、増幅した受信信号をベースバンド信号に変換し、変換したベースバンド信号を制御回路２０５に出力する。
また、送受信回路２０２は、制御回路２０５から入力したベースバンド信号を無線周波数帯の送信信号に変換する。そして、送受信回路２０２は、送信信号を所定の電力値まで増幅し、送受信アンテナ２０１を介し、携帯電話１００へ送信する。【００５８】
制御回路２０５は、送受信回路２０２から入力した情報に基づき、セルサーチを制御する。制御回路２０５は、受信品質比較部２０５１と閾値変更部２０５２と記憶部２０５３を含んでいる。【００５９】
閾値変更部２０５２は、送受信回路２０２から入力された移動局装置の移動速度に基づいてセルサーチ用閾値を計算し、セルサーチ用閾値を受信品質比較部２０５１に出力する。
記憶部２０５３の速度閾値対応情報記憶部２５３２は、予め速度閾値対応情報記憶している。また、閾値記憶部２５３１は、初期閾値を記憶している。閾値変更部２０５２は、速度閾値対応情報記憶部２５３２から取得した速度閾値対応情報を参照して、送受信回路２０２から入力された移動局装置の移動速度に対応するセルサーチ用閾値の変更量を求める。そして、閾値変更部２０５２は、求めた変更量の分だけ、閾値記憶部２５３１から取得した初期閾値を変更し、その結果をセルサーチ用閾値と設定する。
なお、具体的な計算方法は、第１の実施形態の閾値変更部１０５２と同じである。【００６０】
受信品質比較部２０５１は、閾値変更部２０５２から入力されたセルサーチ用閾値と、送受信回路２０２から入力された移動局装置の受信品質値を比較し、その比較結果をセルサーチ制御信号として送受信回路２０２へ出力する。その比較結果とセルサーチ制御信号の関係は、第１の実施形態の制御信号生成部１０５５での比較結果とセルサーチ制御信号の関係と同じである。【００６１】
次に、本実施形態の携帯電話１００と基地局装置２００の動作について説明する。図９は、本実施形態の動作についてのフロー図である。
まず、移動速度検出回路１０３は、携帯電話自身の移動速度を検出（Ｓ３０１）し、移動局情報送信部１０５７に出力する。一方、送受信回路１０２は、電波を受信して信号に変換（Ｓ３０２）し、受信品質値算出部１０５４へ出力する。そして、受信品質値算出部１０５４は、送受信回路１０２から入力された信号から受信品質値を算出し（Ｓ３０３）、移動局情報送信部１０５７に出力する。
さらに、移動局情報送信部１０５７は、移動速度検出回路１０３から入力された移動速度を移動局移動速度信号、受信品質値算出部１０５４から入力された受信品質値を移動局受信品質値信号として、送受信回路１０２へ出力する（Ｓ３０４）。送受信回路１０２は、移動局移動速度信号と移動局受信品質値信号を、送受信アンテナ１０１を介し、電波として基地局装置２００へ送信する（Ｓ３０５）。  【００６２】
基地局装置の送受信アンテナ２０１は、送受信アンテナ１０１の送信した電波を受信する（Ｓ３０６）。そして、送受信回路２０２は、移動局移動速度信号と移動局受信品質値信号を取得し、制御回路２０５へ出力する。制御回路２０５の閾値変更部２０５２は、記憶部２０５３から、予め記憶させてある速度閾値対応情報と初期閾値を取得する（Ｓ３０７）。
閾値変更部２０５２は、速度閾値対応情報記憶部２５３２から取得した速度閾値対応情報を参照して、送受信回路２０２から入力された移動局装置の移動速度に対応するセルサーチ用閾値の変更量を求める。そして、閾値変更部２０５２は、求めた変更量の分だけ、閾値記憶部２５３１から取得した初期閾値を変更し、その結果であるセルサーチ用閾値を受信品質比較部２０５１へ出力する（Ｓ３０８）。
受信品質比較部２０５１は、閾値変更部２０５２から入力されたセルサーチ用閾値と、送受信回路２０２から入力された移動局装置の受信品質値を比較し（Ｓ３０９）、閾値以上であるか否かを判断する（Ｓ３１０）。
受信品質値がセルサーチ用閾値を下回った場合、制御回路２０５は、セルサーチを開始するセルサーチ制御信号を送受信回路２０２へ出力し（Ｓ３１１）、逆に、受信品質値が閾値以上であれば、セルサーチ停止のためのセルサーチ制御信号を送受信回路２０２へ出力する（Ｓ３２１）。送受信回路２０２は、送受信アンテナ２０１を介し、移動局装置へ電波を発信する（Ｓ３１２、Ｓ３２２）。【００６３】
携帯電話１００の送受信アンテナ１０１は、送受信アンテナ２０１の送信した電波を受信する（Ｓ３１３、Ｓ３２３）。そして、送受信回路１０２は、セルサーチ制御信号を取得し、セルサーチを開始するための制御信号であれば、セルサーチを開始する（Ｓ３１４）。
逆に、セルサーチを停止するための制御信号であれば、送受信回路１０２は、セルサーチを停止する（Ｓ３２４）。
そして、以上の動作は、所定の周期で繰り返されている（Ｓ３２５）。【００６４】
本実施形態においては、携帯電話１００に受信品質と閾値の比較をするプログラムを取り込むことなく、基地局２００において当該プログラムを追加、変更できる。【００６５】
以上、第３の実施形態について詳しく説明してきたが、例えば、第２の実施形態のように受信品質値を減算し、セルサーチ用閾値と比較する構成でもよい。【００６６】
上記各実施形態においては、セルサーチを開始する地点、即ちセルサーチ用閾値と携帯電話の移動速度の関係はここで示した実施形態に限られたものではない。少なくともセルサーチが終了した時点で通信エリア内に携帯電話が留まっていればよく、実際の基地局装置の通信エリアの大きさとセルサーチに必要な時間、携帯電話の移動速度によって適宜設定すればよい。
また、第１実施形態においてはセルサーチ用閾値を加算する例を示しており、加算値としては、０＜ａ＜ｂ＜ｃ…に対して、０＜ｘ＜ｙ…となる例を示しているが本発明はこれに限定されない。例えば、図２において０ｋｍ／ｈ以上ａｋｍ／ｈ未満に対してα０、ａｋｍ／ｈ以上ｂｋｍ／ｈ未満に対してα１、ｂｋｍ／ｈ以上ｃｋｍ／ｈ未満に対してα２…とする場合に、一部を負の数とし他を正の数としてもよく、又は０を使用してもよい。例えばα０<α１<０<α２<α３…としてもよいし、例えばα０<α１<α２＝０<α３<α４…としてもよく装置の構成等によって適宜決定すればよい。さらに、第１の実施形態では加算しているが本実施形態はこれに限定されず、閾値を適切に変更できればよく、例えば減算や乗算または除算でもよい。
これより、セルサーチ用閾値は、減算され初期閾値より低い値になる場合もある。例えば、携帯電話が基地局装置に向かって移動する場合は、受信品質値が高くなる方向への移動なので、セルサーチ用閾値を初期閾値より低く設定できる。この場合、セルサーチ用閾値が低く設定されるので、受信品質値がセルサーチ用閾値より高い状態が増える。そして、受信品質値がセルサーチ閾値より高い状態ではセルサーチが停止されるので、セルサーチの停止状態が増えることになる。よって、セルサーチが停止されるとセルサーチの回数が減るので、携帯電話の消費電力が減り、バッテリの消耗を低減することができる。【００６７】
また、第２の実施形態においては受信品質値を減算する例を示しているが、ａ’、ｂ’、ｃ’…や、ｘ’、ｙ’ …についても、同じく限定されず、例えば加算や乗算または除算でもよい。【００６８】
また、上記各実施形態においては、閾値または受信品質値を変更する構成を例に挙げて説明しているが、本発明はこれに限定されず、両者を同時に変更してもよい。【００６９】
また、上記第１の実施形態において、速度閾値対応情報記憶部１５３２は、携帯電話装置１００の製造時等に予め定められた速度閾値対応情報を記憶してもよいし、基地局装置から受信した速度閾値対応情報を記憶してもよい。また、製造時等に予め定められた速度閾値対応情報（第１の速度閾値対応情報）と基地局装置から受信した速度閾値対応情報（第２の速度閾値対応情報）との双方を記憶してもよい。
また、閾値記憶部１５３１は、携帯電話装置１００の製造時等に予め定められた閾値を初期閾値として記憶してもよい。また、製造時等に予め定められた閾値と基地局装置から受信した閾値との双方を記憶してもよい。【００７０】
また、閾値変更部１０５２は、速度閾値対応情報記憶部１５３２が製造時等に予め定められた速度閾値対応情報と基地局装置から受信した速度閾値対応情報との双方を記憶する場合、セルサーチの成功率に基づいて、予め定められた速度閾値対応情報と基地局装置から受信した速度閾値対応情報から選択した速度閾値対応情報を用いてセルサーチ用閾値の変更量を求めてもよい。【００７１】
また、閾値変更部１０５２は、製造時等に予め定められた速度閾値対応情報と基地局装置から受信した速度閾値対応情報とに優先度を設定して選択してもよい。例えば、閾値変更部１０５２は、基地局装置から受信した速度閾値対応情報を優先し、基地局装置から速度閾値対応情報を受信していない場合は、製造時等に予め定められた速度閾値対応情報を用いてセルサーチ用閾値の変更量を求めてもよい。逆に、閾値変更部１０５２は、製造時等に予め定められた速度閾値対応情報を優先し、基地局装置から速度閾値対応情報を受信しても、製造時等に予め定められた速度閾値対応情報を用いてセルサーチ用閾値の変更量を求めてもよい。【００７２】
また、上記第２の実施形態において、速度受信品質値対応情報記憶部１５３３は、携帯電話装置１００の製造時等に予め定められた速度受信品質値対応情報を記憶してもよいし、基地局装置から受信した速度受信品質値対応情報を記憶してもよい。また、製造時等に予め定められた速度受信品質値対応情報（第１の速度受信品質値対応情報）と基地局装置から受信した速度受信品質値対応情報（第２の速度受信品質値対応情報）との双方を記憶してもよい。
また、閾値記憶部１５３１は、携帯電話装置１００の製造時等に予め定められた閾値を初期閾値として記憶してもよい。また、製造時等に予め定められた閾値と基地局装置から受信した閾値との双方を記憶してもよい。【００７３】
また、受信品質変更部１０７６は、速度受信品質値対応情報記憶部１５３３が製造時等に予め定められた速度受信品質値対応情報と基地局装置から受信した速度受信品質値対応情報との双方を記憶する場合、セルサーチの成功率に基づいて、予め定められた速度受信品質値対応情報と基地局装置から受信した速度受信品質値対応情報から選択した速度受信品質値対応情報を用いてセルサーチ用受信品質値の変更量を求めてもよい。【００７４】
また、受信品質変更部１０７６は、製造時等に予め定められた速度受信品質値対応情報と基地局装置から受信した速度受信品質値対応情報とに優先度を設定して選択してもよい。例えば、受信品質変更部１０７６は、基地局装置から受信した速度受信品質値対応情報を優先し、基地局装置から速度受信品質値対応情報を受信していない場合は、製造時等に予め定められた速度受信品質値対応情報を用いてセルサーチ用受信品質値の変更量を求めてもよい。逆に、受信品質変更部１０７６は、製造時等に予め定められた速度受信品質値対応情報を優先し、基地局装置から速度受信品質値対応情報を受信しても、製造時等に予め定められた速度受信品質値対応情報を用いてセルサーチ用受信品質値の変更量を求めてもよい。【００７５】
さらに、上記各実施形態は、あらかじめ携帯電話に本発明による機能を持たせている構成であるが、本発明はこれに限定されない。例えば、本発明の制御を実行できないような携帯電話であっても上記各実施形態をプログラム化し、当該プログラムを当該携帯電話内に取り込むことによって本発明を実行できる。【００７６】
また、携帯電話へのプログラムの取り込み方法として、メモリカードのような記録媒体を介して携帯電話内に直接取り込み、または、記録媒体としてＣＤ−ＲＯＭやＤＶＤなどに本発明のプログラムを保存し、当該ＣＤ−ＲＯＭやＤＶＤに記録されたプログラムを携帯電話に接続したＰＣ等によって携帯電話に書き込むこともできる。【００７７】
さらには、携帯電話が基地局装置を経由して当該プログラムをダウンロード、または、インターネット等によりダウンロードした上記プログラムを携帯電話に接続したＰＣ等によって携帯電話に書き込むこともできる。【００７８】
以上、図面を参照してこの発明の一実施形態について詳しく説明してきたが、具体的な構成は上述のものに限られることはなく、この発明の要旨を逸脱しない範囲内において様々な設計変更等をすることが可能である。
【産業上の利用可能性】
【００７９】
本発明は、移動体通信に係る移動局装置、無線通信システム、それと類似の技術において用いて好適であり、移動局装置の移動速度が速い場合であっても通信不能状態を回避することができ、移動局装置の接続品質を確保することができる。
【図１】
2009069631.tif 000003
【図２】
2009069631.tif 000004
【図３】
2009069631.tif 000005
【図４】
2009069631.tif 000006
【図５】
2009069631.tif 000007
【図６】
2009069631.tif 000008
【図７】
2009069631.tif 000009
【図８】
2009069631.tif 000010
【図９】
2009069631.tif 000011
【国際調査報告】
2009069631.tif 000012
2009069631.tif 000013
2009069631.tif 000014
2009069631.tif 000015